【事件の表示】
　特許第３１９３７８７号「化粧シート」の請求項１ないし５に係る特許に対する特許異議の申立てについて、次のとおり決定する。
【結　論】
　特許第３１９３７８７号の請求項１ないし５に係る特許を維持する。
【理　由】
１．手続の経緯
　本件特許第３１９３７８７号は、平成４年９月８日に出願され、平成１３年５月２５日に設定登録（請求項の数５）されたところ、平成１４年１月２８日に特許異議申立人凸版印刷株式会社（以下、「申立人」という）から特許異議の申し立てがされたものである。
　　
２．特許異議申立について
（１）本件発明
　特許第３１９３７８７号の請求項１ないし５に係る発明（以下、「本件発明１」ないし「本件発明５」という。）は、特許明細書及び図面の記載からみて、特許請求の範囲に記載された下記のとおりのものと認められる。
【請求項１】エチレン−ビニルアルコール共重合体樹脂による透明なフィルム層と、該透明なフィルム層の一方の面に形成されているウレタン系樹脂による透明なプライマー層と、該プライマー層の上に塩化ビニル−酢酸ビニル共重合体樹脂をビヒクルとする印刷インキによって形成されている化粧層とを有することを特徴とする化粧シート。
【請求項２】塩化ビニル−酢酸ビニル共重合体樹脂をビヒクルとする印刷インキによって形成されている化粧層が絵柄層からなり、かつ、エチレン−ビニルアルコール共重合体樹脂による透明なフィルム層の他方の面に艶調整層が形成されていることを特徴とする請求項１に記載の化粧シート。
【請求項３】エチレン−ビニルアルコール共重合体樹脂によるフィルム層と、該フィルム層の一方の面に形成されているウレタン系樹脂によるプライマー層と、該プライマー層の上に塩化ビニル−酢酸ビニル共重合体樹脂をビヒクルとする印刷インキによって形成されている化粧層と、該化粧層の形成面に積層されているウレタン系樹脂による透明な接着剤層と、該透明な接着剤層の上に形成されているエチレン−ビニルアルコール共重合体樹脂による透明なフィルム層とを有することを特徴とする化粧シート。
【請求項４】塩化ビニル−酢酸ビニル共重合体樹脂をビヒクルとする印刷インキによって形成されている化粧層が絵柄層からなり、かつ、エチレン−ビニルアルコール共重合体樹脂による透明なフィルム層の上に艶調整層が形成されていることを特徴とする請求項３に記載の化粧シート。
【請求項５】艶調整層が、艶消し部と艶部とで形成されていることを特徴とする請求項２または請求項４に記載の化粧シート。
　　
（２）申立の理由の概要
　申立人は、甲第１号証（特開平１−１２３７４２号公報）、甲第２号証（特開平１−１４６７２８号公報）、甲第３号証（特開昭５８−１５３６３８号公報）、甲第４号証（特開昭６３−９１２４３号公報）、甲第５号証（特開平２−２３５０６５号公報）、甲第６号証（特開昭６０−２４２０５３号公報）、甲第７号証（特開平２−１２８８４３号公報）を提出して、
請求項１ないし５に係る発明は、甲第１ないし７号証に記載された発明に基づいて当業者が容易に発明をすることができたものであるから、これらの発明の特許は、特許法第２９条第２項の規定に該当し特許を受けることができないものであって、特許法第１１３条第１項第２号の規定により取り消すべきものである、旨主張している。
　　
（３）甲各号証の記載事項
甲第１号証には、
１−１「１．透明乃至半透明な樹脂フィルム、印刷層、透明乃至半透明な樹脂層、高隠蔽性の樹脂含浸紙の順に配設された多層構造を有することを特徴とする化粧シート。
２．透明乃至半透明な樹脂フィルムが透明乃至半透明なエチレン−ビニルアルコール共重合体樹脂フィルムであることを特徴とする特許請求の範囲第１項記載の化粧シート。
……。
４．透明乃至半透明な樹脂層が透明乃至半透明な樹脂の接着剤層からなることを特徴とする特許請求の範囲第１項記載の化粧シート。
５．透明乃至半透明な樹脂フィルムの片面に艶調整層が形成されており、印刷層が樹脂フィルムの他面に印刷を施すことによって形成されたものであることを特徴とする特許請求の範囲第１項記載の化粧シート。」（特許請求の範囲第１項、第２項、第４項及び第５項）、
１−２「印刷層は、通常は前記透明乃至半透明な樹脂フィルムの一方の面に印刷を施すことによって形成される。前記印刷層は、木目柄、抽象柄、石目柄等任意の模様を印刷形成した層でも或いは着色または白色のベタ印刷を施した層でもよい。そして本発明の化粧シートの多層構造により、前記印刷層が模様を印刷形成したものである場合は、前記印刷模様の奥行き感と、フィルムの塗装感の両者が得られ、前記印刷層がベタ印刷の場合は、塗装感が得られる。特に白色のベタ印刷を施したものは、意匠・隠蔽・物性において従来のプリント紙にないものとなる。インキとしては、一般的には硝化綿、酢酸セルロース、ポリ塩化ビニル、ポリビニルブチラール、ポリウレタン、アクリル樹脂、ポリエステル等の単独重合体又は他のモノマーとの共重合体をビヒクルとし、これに通常の顔料、染料を着色剤として含有させて構成されるインキが用いられる。」（２頁右上欄１９行−左下欄１６行）、
１−３「透明乃至半透明な樹脂層は、一般的に次のような方法によって形成される。すなわち、ポリプロピレン等のポリオレフィン系樹脂やその他の樹脂をエクストルージョンラミネート法により押出コーティングする方法、ゴム系、アクリル系、エポキシ系、ウレタン系等の樹脂をドライラミネート法によりコーティングする方法、」（２頁右下欄１−７行）、
１−４「本発明の化粧シートは、上記のような構成のものであるから、耐摩耗性、耐溶剤性、耐寒性等の物性が良く、塗装感がある。また印刷層は樹脂フィルム面に印刷をほどこして形成することにより、インキのつき及び意匠性の良いものが得られる。また、ベースが高隠蔽性の樹脂含浸紙からなるため、合板等の基材にラミネートしても基材の色の影響をうけない。さらに、樹脂フィルム層、含浸紙層から構成されるため、ラッピング、Ｖカット適性が大である。」（４頁左欄３−１２行）が記載されている。
　
甲第２号証には、
２−１「１．フィルムにインキ層を設ける工程と、基材に熱硬化性樹脂含浸紙を重ね、その上に前記フィルムを重ね、さらに前記フィルム上に熱硬化性樹脂含浸オーバーレイ紙を重ねた後、全体を加熱加圧して成型する工程を順次行なうことを特徴とする熱硬化性樹脂化粧板の製造法。
……。
４．熱硬化性樹脂含浸紙の上に前記フィルムをインキ層が前記熱硬化性樹脂含浸紙に接するようにして重ねることを特徴とする熱硬化性樹脂化粧板の製造法。」（特許請求の範囲第１項及び第４項）、
２−２「インキ層を設けるフィルムとしては表面平滑で印刷適性の良いものであればよいが、熱硬化性樹脂含浸紙としてメラミン樹脂又はベンゾグアナミン樹脂含浸紙を用いる場合には、エチレン−ビニルアルコール共重合体樹脂フィルム、ポリビニルアルコールフィルム、セロハン等のその分子構造中に水酸基を有し、メラミン樹脂又はベンゾグアナミン樹脂の硬化時、縮合反応し、密着一体化するフィルムを使用すれば、樹脂含浸紙と印刷層を施したフィルムとの密着性が良く、好ましい。また、熱硬化性樹脂含浸紙がジアリルフタレート樹脂又は不飽和ポリエステル樹脂含浸紙である場合には、フィルムの熱硬化性樹脂含浸紙に対する重合面に予め、コロナ処理、プラズマ処理、放射線処理、火炎処理等の易接着処理を施しておくか、あるいはアクリル系、塩化ビニル系、アルキッド系、エチレン酢酸ビニル系等のホットメルト系接着剤をコーティングしておくことが好ましい。」（２頁右上欄１４行−左下欄１１行）、
２−３「インキ層は、前記フィルムの片面に任意の模様の印刷あるいは、着色又は白色のベタ印刷を施すことによって形成される。インキのバインダーとしてはエチルセルロース、エチルヒドロキシエチルセルロース、セルロースアセテートプロピオネート、酢酸セルロース等のセルロース誘導体、ポリスチレン、ポリαメチルスチレンなどのスチレン樹脂及びスチレン共重合樹脂、ポリメタクリル酸メチル、ポリメタクリル酸エチル、ポリアクリル酸エチル、ポリアクリル酸ブチルなどのアクリル又はメタクリル樹脂の単独又は共重合樹脂、ロジン、ロジン変性マレイン酸樹脂、ロジン変性フェノール樹脂、重合ロジンなどのロジンエステル樹脂、ポリ酢酸ビニル樹脂、クマロン樹脂、ビニルトルエン樹脂、塩化ビニル樹脂、ポリエステル樹脂、プチラール樹脂、ポリアミド樹脂、塩化ビニル−酢酸ビニル共重合樹脂等が挙げられる。」（２頁左下欄１５行−右下欄１１行）、
２−４「［実施例］　フェノール樹脂を含浸したコアー紙の上に、着色チタン紙（……）にメラミン樹脂（……）を含浸させた含浸紙を重ねた。
　この上に、フィルムに下記着色層を設けたものを印刷層を下側にして重ねた。
フィルム：エバールＥ−ＦＥ（株）クラレ製、エバール　厚み２５μｍ）
着色層：昭和インク工業所（株）製、「ＭＥ−Ｔ　ゴールド」（メラミン樹脂系バインダー、色相：メタリック）を用い、シルクスクリーン印刷により形成、厚み５０μｍ。
　上記フィルムの上にオーバーレイ紙（……）を重ね、熱プレスにより、……成型し、成形後、熱プレスより取り出して離型性フィルムを剥がした。」（３頁左下欄１０行−右下欄９行）が記載されている。
　
甲第３号証には、
３−１「プラスチックフィルムにアンカー剤を塗布した後、パール顔料を含むインキ又は塗料を全面印刷し、次に木目柄を印刷し、エンボス加工して得られた印刷フィルムを合板等の基板上に貼着し、更にその表面にポリエステル樹脂を塗布することを特徴とする化粧板の製造方法。」（特許請求の範囲）、
３−２「本発明に係るプラスチックフィルムとしては、例えばポリ塩化ビニルフィルムであり、アンカー剤としてはイソシアネート系等のアンカー剤が使用できる。又直接ポリ塩化ビニールに印刷する場合は塩酢ビをバインダーとするインキが考えられるが、この場合、印刷面の上にポリエステル樹脂と密着性のよいアンカー剤を用いる」（２頁左上欄４−１０行）が記載されている。
　
甲第４号証には、
４−１「（１）シート基材に印刷層を形成し、少なくとも該印刷層側の表面に透明樹脂層を介してエチレン−ビニルアルコール共重合体樹脂フィルムを積層してなる複合シートにエンボス加工を施しエンボス凹部を形成し、更にワイピングによりエンボス凹部にインキを充填してなることを特徴とする化粧材。
……。
（３）シート基材に印刷層を形成する前にプライマー層を設けてなる特許請求の範囲第１項又は第２項記載の化粧材。
（４）エチレン−ビニルアルコール共重合体樹脂フィルム表面に艶調整材層を設けてなる特許請求の範囲第１項〜第３項のいずれかに記載の化粧材。」（特許請求の範囲第１項、第３項及び第４項）、
４−２「シート基材２の材質としては、薄葉紙等の紙質系素材、合成樹脂、金属、不織布等が用いられ、」（２頁右上欄１８−１９行）、
４−３「印刷層３は木目柄、抽象柄、石目柄等任意の模様を印刷形成した層でも或いは印刷により着色を施した層でもよい。印刷層３形成のためのインキとしては、シート基材２の材質、形態にもよるが、一般的には硝化綿、酢酸セルロース、ポリ塩化ビニル、ポリビニルブチラール、ポリウレタン、アクリル樹脂ポリエステル等の単独重合体、又は他のモノマーとの共重合体をビヒクルとし、これに通常の顔料、染料を着色剤として含有させて構成されるインキが用いられる。」（２頁左下欄５−１４行）、
４−４「透明樹脂層４の形成法としては、ポリエチレン等のポリオレフィン系樹脂やその他の樹脂をエクストルージョンラミネート法により押出コーティングする方法、ゴム系、アクリル系、エポキシ系、ウレタン系等の樹脂をドライラミネート法によりコーティングする方法、」（２頁右下欄７−１２行）、
４−５「プライマー層８はシート基材２と隠蔽ベタインキ層９及び印刷層３との密着性を向上させ、更に、紙間強度を上げるために設けられるものである。プライマー層９を形成するプライマーとしては、ポリウレタン、アクリル樹脂、ポリエステル樹脂等の単独又は共重合体をビヒクルとして、要すれば添加剤、着色剤等を含有させたインキを用いることができる。」（３頁左下欄４−１１行）、
４−６「本発明化粧材はシート基材に印刷層を形成し、少なくとも該印刷層側の表面に透明樹脂層を介してエチレン−ビニルアルコール共重合体樹脂フィルムを積層してなる複合シートにエンボス加工を施しエンボス凹部を形成し、更にワイピングによりエンボス凹部にインキを充填してなるものである為、従来の化粧材では果たし得なかった木端巻き、Ｖカット、ラッピング等の曲面貼加工ができ、」（４頁右下欄１９行−５頁左上欄７行）が記載されている。
　
甲第５号証には、
５−１「基材シートとして厚さ３８μのポリエステルフィルム（東レ製：Ｔ−６０）を用い、その基材シート片面にシリコン系塗料（信越シリコーン製：Ｘ−６２）をグラビアコートで塗布し、１２０℃で１分間乾燥して厚さ０．５μの背面離型処理層を形成した。
　次いで基材シートのコート面と反対面にアクリル樹脂／メラミン樹脂系の塗料をグラビアコートで塗布し、１６０℃で３０秒間乾燥して厚さ０．５μの離型層を形成した。
　次いで、上記で形成した離型層の表面に紫外線硬化性樹脂（三菱油化製：ユピマーＬＺ）を６μの塗布厚で塗布し、その上にウレタン系プライマー用インキ（昭和インク製）を０．７μの塗布厚で塗布し、更に塩化ビニル系インキ（昭和インク製：ＦＶＡ）で絵柄を印刷し、最後にアクリル系接着剤を全面に塗布して、転写シートを作成した。」（６頁左下欄６行−右下欄２行）が記載されている。
　
甲第６号証には、
６−１「（１）エチレン含量２０〜６０モル％、酢酸ビニル成分のけん化度９５％以上のエチレン−酢酸ビニル共重合体けん化物層（Ａ）、イソシアネート基を含む反応型ポリウレタン系高分子層（Ｂ）及び塩化ビニル成分を６０〜９９モル％および酢酸ビニルおよび／または（メタ）アクリル酸エステル成分を４０〜１モル％含む塩化ビニル系共重合体層（Ｃ）を有し、かつＡ／Ｂ／Ｃの構成からなる、熱ラミネーション用複合フイルム。](特許請求の範囲第１項)、
６−２「前記接着剤Ｃを単独に使用する場合、すなわちＡ／Ｃの構成からなる熱ラミネーション用フイルムは、Ａ面にＣ面が接する場合、たとえば該フイルムを巻取り、使用時まで保存する場合などにおいてブロッキング性を示さずスリップ性においても良好であり、しかもＣは可塑化ポリ塩化ビニルから実質的になるシートまたはフイルム、紙等に対しても良好な熱接着性を示し好適であるが、反面Ａ、Ｃ間の接着性に劣り、実用されるに充分ではないという致命的欠陥がある。」（５頁右上欄１−１０行）、
６−３「Ａ／Ｂ／Ｃの構成で、しかもＢの厚みが少くとも１μであるように該２種の接着剤が用いられた複合フイルムのシエルフライフは長く、長期保存後の可塑化ポリ塩化ビニルから実質的になるフイルムまたはシート、さらには紙等への熱接着性は、充分満足に実用されるものである。」（５頁右下欄３−８行）が記載されている。
　
甲第７号証には、
７−１「（１）基材上に、隠蔽ベタ印刷層、絵柄印刷層、透明な合成樹脂層およびツヤ調整層を順に積層し、エンボスを施してなることを特徴とする化粧材。
……。
（４）ツヤ調整層が２層からなり、一方がツヤ消し層、他方がツヤ出し層である請求項１または２の化粧材。」（特許請求に範囲第１項及び第４項）
７−２「基材として代表的なものは各種の紙類であって、その例は、薄葉紙、晒または未晒のクラフト紙、上質紙、紙間強化紙（ラテックス含浸紙）、合成樹脂を混抄した混抄紙、チタン紙、リンター紙、板紙、石こうボード紙などである。プラスチックのフィルムも使用できる。たとえば、ポリエチレン、ポリプロピレン、ポリ塩化ビニル、ポリビニルアルコール、ポリエチレンテレフタレート、ポリカーボネート、ナイロン、ポリスチレン、エチレン−酢酸ビニル共重合体、エチレン−ビニルアルコール共重合体、アイオノマーなどのプラスチックのフィルムである。」（２頁左下欄５−１６行）、
７−３「絵柄印刷層、第二の絵柄印刷層および隠蔽ベタ印刷層を設けるインキまたは塗料組成物としては、ベヒクルに顔料または染料である着色剤、可塑剤、安定剤、その他の添加剤、溶剤または希釈剤を混練してなるものを用いる。ベヒクルとして適当な材料は、エチルセルロース、エチルヒドロキシエチルセルロース、セルロースアセテートプロピオネート、酢酸セルロースなどのセルロース誘導体、ポリスチレン、ポリ−α−メチルスチレンなどのスチレン樹脂およびスチレン共重合体樹脂、ポリメタクリル酸エチル、ポリアクリル酸エチル、ポリアクリルブチルなどのアクリルまたはメタクリル酸エステルの単独または共重合体樹脂、ロジン、ロジン変性マレイン酸樹脂、ロジン変性フェノール樹脂、重合ロジンなどのロジンエステル樹脂、ポリ酢酸ビニル、クマロン樹脂、ビニルトルエン樹脂、ポリ塩化ビニル、ポリエステル、ポリウレタン、プチラール樹脂などである。これらの二種以上を併用してもよい。」（２頁右下欄４行−３頁左上欄２行）、
７−４「絵柄印刷層および第二の絵柄印刷層の上に設ける透明な合成樹脂は、ポリエチレン、……等のポリオレフィン樹脂、飽和ポリエステルやポリ塩化ビニルのようなそれ以外の熱可塑性樹脂、……などの熱硬化性樹脂から選択したものを使用すればよい。化粧材の表面物性を向上させるという観点からは、……などのフッ素樹脂のフィルム、……アクリル樹脂のフィルム、あるいはそれらの積層体を使用することが、とくに好ましい。」（３頁左上欄６−１８行）、
７−５「ツヤ調整層は、異なるツヤ消し度の塗料を２種以上組み合わせて形成することもできる。この場合、ツヤ消し層上にツヤ出し層を設けるほか、ツヤ出し層を設けた上にツヤ消し層を設けたり、ツヤ消し層とツヤ出し層とを同一面上に区分して設けたりすることもあるし、第２図に示すように、ツヤ消し層またはツヤ出し層のいずれか一方（５）をベタで、他方（５Ａ）をパターン状に設けてもよい。」（３頁左下欄１８行−右下欄６行）が記載されている。
　　
（４）当審の判断
（４）−１　本件発明１について
（４）−１−１
　甲第１号証には、摘示記載１−１ないし１−３からみて、透明なエチレン−ビニルアルコール共重合体樹脂フィルム、ポリ塩化ビニル等の単独重合体又は他のモノマーとの共重合体をビヒクルとするインキにより印刷形成した模様印刷層、透明乃至半透明な樹脂の接着剤層、高隠蔽性の樹脂含浸紙の順に配設された多層構造を有する化粧シートが記載されていると認められる。この化粧シート中の、透明なエチレン−ビニルアルコール共重合体樹脂フィルムに、ポリ塩化ビニル等の単独重合体又は他のモノマーとの共重合体をビヒクルとするインキにより印刷形成した模様印刷層を設けた積層部材に着目すると、本件発明１の化粧シートが、実施例３に記載されるように、壁紙用難燃性裏打ち紙に対して接着積層して、甲第１号証の化粧シートに対応する積層構造で用いられることからみて、上記甲第１号証に記載された積層部材は、本件発明１の化粧シートに相当すると認められる。
　本件発明１と甲第１号証に記載された積層部材（以下、「甲１発明」という。）とを対比すると、甲１発明の模様印刷層は本件発明１の化粧層に相当するから、両者は、エチレン−ビニルアルコール共重合体樹脂による透明なフィルム層の上に塩化ビニル系樹脂をビヒクルとする印刷インキによって形成されている化粧層を設けた化粧シートである点で共通するが、
（１）本件発明１は、エチレン−ビニルアルコール共重合体樹脂による透明なフィルム層の上に、ウレタン系樹脂による透明なプライマー層と、塩化ビニル−酢酸ビニル共重合体樹脂をビヒクルとする印刷インキによって形成されている化粧層とを設けているのに対して、甲１発明は、エチレン−ビニルアルコール共重合体樹脂による透明なフィルム層の上に、ポリ塩化ビニル等の単独重合体又は他のモノマーとの共重合体をビヒクルとする印刷インキによって形成されている化粧層を設けており、ウレタン系樹脂による透明なプライマー層を設けることが記載されていない点で相違している。
　相違点について検討する。
　甲第２号証には、フィルムにインキ層を設ける工程と、基材に熱硬化性樹脂含浸紙を重ね、その上に前記フィルムを重ね、さらに前記フィルム上に熱硬化性樹脂含浸オーバーレイ紙を重ねた後、全体を加熱加圧して成型する工程を順次行なう熱硬化性樹脂化粧板の製造法が記載され、このフィルムの多数列記された材料の一例として、エチレン−ビニルアルコール共重合体樹脂フィルムが、また、インキ層のビヒクルの多数列記された材料の一例として、塩化ビニル−酢酸ビニル共重合樹脂が、それぞれ、例示されているが、エチレン−ビニルアルコール共重合体樹脂フィルムに塩化ビニル−酢酸ビニル共重合樹脂をビヒクルとするインキ層を設けた例は記載されておらず、ポリビニルアルコールフィルムにウレタン系樹脂による透明なプライマー層を設けることは記載も示唆もされていない。
　甲第３号証には、ポリ塩化ビニル等のプラスチックフィルムに、イソシアネート系のアンカー剤を塗布した後、例えばニトロセルロース系樹脂をバインダーとするパール顔料を含むインキ又は塗料を全面印刷すること、直接ポリ塩化ビニールに印刷する場合には塩酢ビをバインダーとするインキが考えられることが記載されているが、エチレン−ビニルアルコール共重合体樹脂による透明なフィルムにイソシアネート系のアンカー剤を塗布した後、パール顔料を含むインキ又は塗料を全面印刷することは記載されていない。まして、エチレン−ビニルアルコール共重合体樹脂による透明フィルムにイソシアネート系のアンカー剤を塗布した後、塩化ビニル−酢酸ビニル共重合体樹脂をビヒクルとする印刷インキを塗布することは記載も示唆もされていない。
　甲第４号証には、シート基材にポリウレタン等の樹脂をビヒクルとするインキを用いてプライマー層を設け、その上に印刷層を形成し、少なくとも該印刷層側の表面にポリオレフィン樹脂等の透明樹脂層を介してエチレン−ビニルアルコール共重合体樹脂フィルムを積層してなる複合シートにエンボス加工を施しエンボス凹部を形成し、更にワイピングによりエンボス凹部にインキを充填してなる化粧材が記載されているが、エチレン−ビニルアルコール共重合体樹脂フィルムと印刷層の間に、透明なポリウレタンプライマー層を介在させることは記載されていない。また、インキのビヒクルとして塩化ビニル−酢酸ビニル共重合体樹脂を用いることも記載されていない。
　甲第５号証には、紫外線硬化性樹脂層と塩化ビニル系インキ印刷層との間にウレタン系プライマー層を設けることが記載されているが、エチレン−ビニルアルコール共重合体樹脂フィルムと塩化ビニル−酢酸ビニル共重合体樹脂をビヒクルとする印刷インキを透明なポリウレタンプライマー層を介在させて設けることは記載も示唆もされていない。
　甲第６号証には、エチレン含量２０〜６０モル％、酢酸ビニル成分のけん化度９５％以上のエチレン−酢酸ビニル共重合体けん化物層（Ａ）、イソシアネート基を含む反応型ポリウレタン系高分子層（Ｂ）及び塩化ビニル成分を６０〜９９モル％および酢酸ビニルおよび／または（メタ）アクリル酸エステル成分を４０〜１モル％含む塩化ビニル系共重合体層（Ｃ）を有し、かつＡ／Ｂ／Ｃの構成からなる、熱ラミネーション用複合フイルムが記載され、Ａ層とＣ層との接着性が劣る点をＢ層を間に設けることにより、接着性を充分満足に実用されるものとしたことが記載されているが、化粧シートにおいて、エチレン−ビニルアルコール共重合体樹脂による透明なフィルム層の上に、ウレタン系樹脂による透明なプライマー層と、塩化ビニル−酢酸ビニル共重合体樹脂をビヒクルとする印刷インキによって形成されている化粧層とを設ける構成は記載も示唆もされていない。
　甲第７号証には、基材上に、隠蔽ベタ印刷層、絵柄印刷層、透明な合成樹脂層およびツヤ調整層を順に積層し、エンボスを施してなることを特徴とする化粧材が記載されているが、透明な合成樹脂層としてエチレン−ビニルアルコール共重合体樹脂による透明なフィルム層を用いて、絵柄印刷層を塩化ビニル−酢酸ビニル共重合体樹脂をビヒクルとする印刷インキによって形成し、さらに透明な合成樹脂層と絵柄印刷層との間にウレタン系樹脂による透明なプライマー層を設けることは記載も示唆もされていない。
　そして、本件発明１は、上記相違点に係る構成を有することにより、明細書に記載された、汎用性のある溶剤型の樹脂である塩化ビニル−酢酸ビニル共重合体樹脂をビヒクルとする印刷インキによって形成された化粧層を有するものであって、しかもラッピング加工、エンボス加工、Ｖカット加工、真空成形加工等の成形加工を適性に行うことができ、又廃材の処理手段として焼却処理を利用する際に塩素化合物の発生が極めて少ないために大気汚染を引き起こすこと無く焼却処理に付すことができる等の効果を奏するものと認められる。
　したがって、本件発明１は、甲１発明及び甲第２ないし７号証に記載された発明に基づいて当業者が容易に発明をすることができたものであるとはいえない。
　
（４）−１−２
　甲第２号証には、フィルムにインキ層を設ける工程と、基材に熱硬化性樹脂含浸紙を重ね、その上に前記フィルムを重ね、さらに前記フィルム上に熱硬化性樹脂含浸オーバーレイ紙を重ねた後、全体を加熱加圧して成型する工程を順次行なうことを特徴とする熱硬化性樹脂化粧板の製造法が記載され（摘記事項２−１）、摘記事項２−２ないし２−４には、このフィルムの例示としてエチレン−ビニルアルコール共重合体樹脂フィルムが、インキ層のビヒクルの例示として、塩化ビニル−酢酸ビニル共重合樹脂が、それぞれ記載されており、これらの記載から、フィルムにインキ層を設けた積層体に着目するとエチレン−ビニルアルコール共重合体樹脂フィルムに塩化ビニル−酢酸ビニル共重合樹脂をビヒクルとするインキ層を設けた積層体（以下、「甲２発明」という。）が想定され、この積層体は本件発明１の化粧シートに相当すると認められる。
　本件発明１と甲２発明とを対比すると、甲２発明は、エチレン−ビニルアルコール共重合体樹脂フィルム層の内側にインキ層を有するものであるから、このフィルムは透明であると認められ、甲２発明のインキ層は本件発明１の化粧層に相当すると認められるから、両者はエチレン−ビニルアルコール共重合体樹脂による透明なフィルム層と、塩化ビニル−酢酸ビニル共重合体樹脂をビヒクルとする印刷インキによって形成されている化粧層とを有する化粧シートである点で共通するが、本件発明１がエチレン−ビニルアルコール共重合体樹脂による透明なフィルム層と、塩化ビニル−酢酸ビニル共重合体樹脂をビヒクルとする印刷インキによって形成されている化粧層との間にウレタン系樹脂による透明なプライマー層を有するのに対し、甲２発明では、エチレン−ビニルアルコール共重合体樹脂による透明なフィルム層上に塩化ビニル−酢酸ビニル共重合体樹脂をビヒクルとする印刷インキ層が設けられている点で相違している。
　相違点について検討する。
　甲第６号証には、エチレン含量２０〜６０モル％、酢酸ビニル成分のけん化度９５％以上のエチレン−酢酸ビニル共重合体けん化物層（Ａ）、イソシアネート基を含む反応型ポリウレタン系高分子層（Ｂ）及び塩化ビニル成分を６０〜９９モル％および酢酸ビニルおよび／または（メタ）アクリル酸エステル成分を４０〜１モル％含む塩化ビニル系共重合体層（Ｃ）を有し、かつＡ／Ｂ／Ｃの構成からなる、熱ラミネーション用複合フイルムが記載され（摘記事項６−１）、Ａ層とＣ層との接着性が劣る点をＢ層を間に設けることにより、接着性を充分満足に実用されるものとしたことが記載されている（摘記事項６−２、６−３）。
　しかし、上記Ｃ層は接着剤層であり、このような熱ラミネーション用複合フィルムにおける接着剤層と基材フィルム間の接着性についての技術的知識の存在を前提にしても、甲第２号証には、エチレン−ビニルアルコール共重合体樹脂及び塩化ビニル−酢酸ビニル共重合体樹脂は、共にフィルムとビヒクルにおける多数の例示材料の一例として記載されているだけで、両者の密着性が他の各例示材料の組み合わせたものに比して特に劣ることを窺わせるものではないことからみて、熱ラミネーション用複合フイルムとは技術分野を異にする化粧材における、エチレン−ビニルアルコール共重合体樹脂による透明なフィルム層の上に、ウレタン系樹脂による透明なプライマー層を介して、塩化ビニル−酢酸ビニル共重合体樹脂をビヒクルとする印刷インキによって形成されている化粧層を設けることは当業者にとって容易に想到できることとは認められない。
　また、（４）−１−１で検討したように、甲第１、３ないし５及び７号証にはエチレン−ビニルアルコール共重合体樹脂による透明なフィルム層の上に、ウレタン系樹脂による透明なプライマー層を介して、塩化ビニル−酢酸ビニル共重合体樹脂をビヒクルとする印刷インキによって形成されている化粧層を設けることが記載も示唆もされていない。
　そして本件発明１は、上記相違点に係る構成を有することにより、明細書に記載された効果を奏するものと認められる。
　したがって、本件発明１は、甲２発明及び甲第１及び３ないし７号証に記載された発明に基づいて当業者が容易に発明をすることができたものであるとはいえない。
　
（４）−２　本件発明２について
　本件発明２は、本件発明１をさらに技術的に限定したものであるから、本件発明１についての判断と同じ理由により甲第１ないし７号証に記載された発明に基づいて当業者が容易に発明をすることができたものであるとは認められず、本件発明２に係る特許は、特許法第２９条第２項の規定に違反してなされたものであるとはいえない。
　
（４）−３　本件発明３ないし５について
　本件発明３ないし５は、「エチレン−ビニルアルコール共重合体樹脂によるフィルム層と、該フィルム層の一方の面に形成されているウレタン系樹脂によるプライマー層と、該プライマー層の上に塩化ビニル−酢酸ビニル共重合体樹脂をビヒクルとする印刷インキによって形成されている化粧層とを有する」という技術的事項を有する点で、本件発明１と共通しているから、本件発明３ないし５が本件発明１についての判断と同様な理由により甲第１ないし７号証に記載された発明に基づいて当業者が容易に発明をすることができたものであるとは認められず、本件発明３ないし５に係る特許は、特許法第２９条第２項の規定に違反してなされたものであるとはいえない。
　　  　　
３．むすび
　以上のとおりであるから申立人の特許異議申立の理由及び証拠によっては本件発明１ないし５に係る特許を取り消すことはできない。
　また、他に本件発明１ないし５に係る特許を取り消すべき理由を発見しない。
　よって、結論のとおり決定する。
　　
【異議決定日】
平成１５年４月１１日（２００３．４．１１）